(57)【特許請求の範囲】
【請求項１】
脱衣室と浴室の間の開口部に取付けた枠体内に複数個の吊戸を摺動自在に収容してなるバリアフリー型浴室出入り口用サッシにおいて、
前記枠体の下枠は、防水パンの浴室出入口側端部に形成された排水溝の脱衣室側縦壁に載置される脱衣室側下枠と、前記排水溝の浴室側縦壁に載置される浴室側下枠と、前記脱衣室側下枠及び前記浴室側下枠の対向する側の部分に設けられた段部に載置して架橋された下枠レールとから構成され、
前記下枠レールは、前記吊戸の下端に設けてあるガイド片を摺動自在に嵌合する案内溝を有するとともに、その案内溝の底部に前記排水溝に直接連通する排水孔を有し、
前記枠体の左右の縦枠の対向面の下部に、前記下枠レールの長手方向端部の浮上がりを防止する浮上がり防止具を取付けてあり、
前記下枠レールは、前記吊戸のすべてを前記枠体のいずれか一方の縦枠側に寄せた場合に吊戸のない側の下枠レールを取外し可能なように長手方向に複数枚に分割され、各下枠レールの突き合わせ端部の間に前記各案内溝を連通する連結部材が嵌合されていることを特徴とする排水装置。
【請求項２】
吊戸の下面に突設されている薄板状のガイド片に倒立凸字形のガイドカバー材を嵌合被覆し、そのガイドカバー材の下方凸部を下枠レールの案内溝に摺動自在に嵌合したことを特徴とする請求項１に記載された浴室出入り口用サッシの下枠における排水装置。
【請求項３】
脱衣室側下枠の上面に集水溝を形成するとともに、その集水溝の端部及び下枠レールの長手方向端部に、前記集水溝から排水溝に排水するための通路を形成したことを特徴とする請求項１又は２に記載された浴室出入り口用サッシの下枠における排水装置。
【請求項４】
吊戸の縦框に、その縦框の下端面から下方に突出し、ガイドカバー材の下方凸部に連続する下方凸部を有する水密部材を取付け、前記水密部材に下枠レールの上面に弾力的に接触するスクレーパを有する止水部材を一体的に備えたことを特徴とする請求項２に記載された浴室出入り口用サッシの下枠における排水装置。
【発明の詳細な説明】
【０００１】
【発明の属する技術分野】
本発明は、浴室出入り口用サッシの下枠をバリアフリー構造とする場合の下枠における排水装置に関する。
【０００２】
【従来の技術】
脱衣室と浴室の間に設けられる浴室出入り口用サッシの下枠をバリアフリー構造とする場合は、浴室の床面と脱衣室の床面の間は勿論のこと、下枠の上面との間にもできるだけ段差が生じないように施工される。
ところが、上記のようなバリアフリー構造とした場合は、浴室床面と下枠上面との間に段差がないか、段差が小さいために、とくに浴室出入り口用サッシに建て込められる遮閉体が引違い戸の場合は、閉扉状態のもとでも、浴室床面上（浴槽外）での流し湯、掛け湯、又はシャワー使用時等に、浴室床面から水が下枠上面まで流出したり、遮閉体から流下したりして溜まることがある。
【０００３】
従って、下枠上面に溜まった水を排除する必要性が高くなるが、雑巾等での拭き掃除は手間がかかり面倒であるので、下枠に進入した水を集水して排水できる構造を備え、その下枠から排出される水を浴室床面（パン）及び浴槽から排出される水に合流させるようにした下枠の排水装置が、市場に供給されて知られている。
【０００４】
上記公知技術は、図１９に例示するように、３枚の吊戸ｄ１〜ｄ３を摺動自在に保持する枠体Ｆの下枠２を、脱衣室側下枠２Ａと浴室側下枠２Ｂとに分割構成し、その間に連結材４１で一定の間隔をもって連結した２枚のすのこ板４２を両下枠の上面から一定の間隔をもって嵌合するとともに、連結材４１を両下枠２Ａ，２Ｂで受けて固定し、下枠上面に進入した水をすのこ板４２の間を透過させて下方に設けた排水溝４３に流下させ、その排水溝４３の底部に開口させた排水管４４を、浴室床面を構成する防水パン４５に形成してある溝の排水口に繋る排水管（不図示）に接続している。
上記すのこ板同志の間及びすのこ板と両下枠上面との間に一定の間隔を設けるるのは、ここに吊戸ｄ１〜ｄ３の下框に突設されているガイド片４６を嵌合するレール溝を形成するためでもある。
【０００５】
【発明が解決しようとする課題】
しかしながら、上記公知技術には、次のような問題点がある。すなわち、複数枚のすのこ板と、これを連結するための及び下枠への取付け安定性確保のための連結材とを必要とするので、部材及び部品の点数が多く、組立てに手数が掛り、コストアップの原因となっている。また、すのこ板は断面ヨ字形のものを間隔をおいて敷いてあるので、人が載った時にすのこ板が撓むという強度の問題がある。さらに、すのこ板が一体物であるときは、すべての吊戸を一方側に寄せた状態でも下枠から取外しにくいため、すのこ板や排水溝の洗浄清掃が容易でない。また、すのこ板が長手方向に分割されている場合は、その突合わせ部に面違いが生じ、足の怪我や靴下傷損の原因になる。さらに、脱衣室側下枠の上面は平坦であるため、すのこ板を越えた漏水は、容易に脱衣室の床面まで到達しやすい。加えて、各吊戸のガイド片は薄板で形成され、これをレール溝に嵌合するので、ガイド片がレール溝内で揺動する隙間があるため、戸の開閉時に軋り音を発生したり、閉鎖状態で風圧や外来振動により叩打音を発生したりする。
【０００６】
本発明は、上記の点に鑑みてなされたものであり、下枠の排水性能を向上させ、かつ、吊戸を外さずに下枠レール及び排水溝を容易に清掃できる浴室出入り口用サッシの下枠における排水装置を提供することを目的とする。
次に、本発明の課題を詳述すると、第一の課題は、吊戸の下部を摺動自在に保持する下枠の排水装置において、構成部材及び部品の点数を最小限にして、組立てに手数がかからず、下枠に人が載っても足の怪我や靴下傷損の恐れがなく、また、吊戸を取外すことなく洗浄・清掃が容易にできるようにすることにある。
第二の課題は、吊戸の下框に突設されるガイド片が薄板状であっても、下レールに対する揺動を防止し、軋り音や叩打音が発生しないようにすることにある。  第三の課題は、浴室から下枠上面を越える漏水が脱衣室まで到達せずに排水されるようにすることにある。
第四の課題は、第二の課題を解決する技術手段を備えた場合の、下枠レール上面からの排水性能及び止水性能を向上することにある。
【０００７】
【課題を解決するための手段】
請求項１の発明は、上記第一の課題を解決するため、脱衣室と浴室の間の開口部に取付けた枠体内に複数個の吊戸を摺動自在に収容してなるバリアフリー型浴室出入り口用サッシにおいて、前記枠体の下枠は、防水パンの浴室出入口側端部に形成された排水溝の脱衣室側縦壁に載置される脱衣室側下枠と、前記排水溝の浴室側縦壁に載置される浴室側下枠と、前記脱衣室側下枠及び前記浴室側下枠の対向する側の部分に設けられた段部に載置して架橋された下枠レールとから構成され、前記下枠レールは、前記吊戸の下端に設けてあるガイド片を摺動自在に嵌合する案内溝を有するとともに、その案内溝の底部に前記排水溝に直接連通する排水孔を有し、前記枠体の左右の縦枠の対向面の下部に、前記下枠レールの長手方向端部の浮上がりを防止する浮上がり防止具を取付けてあり、前記下枠レールは、前記吊戸のすべてを前記枠体のいずれか一方の縦枠側に寄せた場合に、吊戸のない側の下枠レールを取外し可能なように長手方向に複数枚に分割され、各下枠レールの突き合わせ端部の間に前記各案内溝を連通する連結部材が嵌合されていることを特徴としている
上記構成により、第一に、防水パンの浴室出入口側端部に形成された排水溝の脱衣室側縦壁に載置される脱衣室側下枠と、前記排水溝の浴室側縦壁に載置される浴室側下枠と、前記脱衣室側下枠及び前記浴室側下枠の対向する側の部分に設けられた段部に載置して架橋された下枠レールとから構成されているので、構成が簡素化し、下枠レールの強度が向上する。第二に、下枠レールは吊戸の下端に設けてあるガイド片を摺動自在に嵌合する案内溝を有するとともに、その案内溝の底部に前記排水溝に直接連通する排水孔を有するので、下枠上面に流れた水は案内溝及び排水孔を経て排水溝に迅速に流下するため、排水性能に優れている。第三に、下枠レールは長手方向に複数枚に分割され、各下枠レールの突き合わせ端部の間に前記各案内溝を連通する連結部材が嵌合されていることにより、前記下枠レールの長手方向端部が前記浮上がり防止具に係合されて浮上がりが防止されている。従って、連結部材を取外し、下枠レールの長手方向端部を浮上がり防止具から解放させて取外すことができるので、下枠レール及び排水溝の清掃が容易にできる。
【０００８】
請求項２の発明は、上記第二の課題を解決するため、左右の縦枠の対向面の下部に、下枠レール浮上がり防止具を取付けたことを特徴としている。
下枠レールを両下枠の間に嵌合して架橋し、所定方向に寄せると、その下枠レールは浮上がり防止具により浮上がりを阻止される。
【０００９】
請求項２の発明は、上記第二の課題を解決するため、吊戸の下框の下面に突設されている薄板状のガイド片に倒立凸字形のガイドカバー材を嵌合被覆し、そのガイドカバー材の下方凸部を下枠レールの案内溝に摺動自在に嵌合したことを特徴としている。
上記構成により、吊戸の下框のガイド片はガイドカバー材の下方凸部により下枠レールに摺動自在に嵌合され、案内されるので、吊戸開閉時の金属的接触音や風圧の変動などによる叩打音が発生することが防止される。
【００１０】
請求項３の発明は、上記第三の課題を解決するため、脱衣室側下枠の上面に集水溝を形成するとともに、その集水溝の端部及び下枠レールの長手方向端部に、前記集水溝から排水溝に排水するための通路を形成したことを特徴としている。  上記構成により、下枠上面を脱衣室方向に越えようとする漏水は、その集水溝に捕捉され、集水溝の端部から通路を経て排水溝に排水される。
【００１１】
請求項４の発明は、上記第四の課題を解決するため、吊戸の縦框に、その縦框の下端面から下方に突出し、ガイドカバー材の下方凸部に連続する下方凸部を有する水密部材を取付け、前記水密部材に下枠レールの上面に弾力的に接触するスクレーパを有する止水部材を一体的に備えたことを特徴としている。
上記構成により、ガイドカバー材の下方凸部と水密部材の下方凸部が吊戸の全幅に沿って連続する。従って、全吊戸の閉鎖状態では、各吊戸の間及び左右縦枠戸の間に水密性が確保され、浴室床面から脱衣室側への水の流出が防止される。また、吊戸の開閉時には、止水部材のスクレーパが下枠レールの上面の水滴を効果的に排除する。
【００１２】
【発明の実施の形態】
次に、本発明の浴室出入り口用サッシの下枠における排水装置について、図示の実施例の場合について詳細に説明する。
図１は本発明装置の構成を示す浴室出入り口用サッシの縦断面図、図２は同サッシの主要構成を概略的に示す分解正面図、図３は吊戸の戸車の上枠に対する装着構造を説明する一部破断斜視図、図４は枠体に対する吊戸の保持態様を説明する概略斜視図、図５は脱衣室側下枠の構成を示す展開図、図６は下枠レールの平面図、図７は同じく下枠レールの横断面図、図８は枠体の下枠における下枠レールの装着構造を説明する斜視図、図９は枠体の右縦枠の正面図、図１０は同縦枠の横断面図、図１１は浮き上がり防止具の展開図、図１２はガイドカバー材の構成図、図１３は同ガイドカバー材の拡大図である。
【００１３】
［サッシ枠体の構成］
図１の浴室出入り口用サッシを構成する枠体Ｆは、図２に示すように、上枠１と、下枠２と、左右の縦枠３，４とを通常の方法によりビスｓにより結合して矩形に組立てられている。
この場合、下枠２は、図１に示すように、脱衣室側下枠２Ａと浴室側下枠２Ｂとに分割され、所定距離平行に離間した状態で、左右の縦枠３，４に一体的に接続されている。そして、両下枠２Ａと２Ｂの間に、後に詳述される下枠レール２Ｃが嵌合され、その下枠レール２Ｃにより両下枠２Ａ，２Ｂを架橋して下枠２が構成されている。
【００１４】
［吊戸の保持構造］
枠体Ｆに収容される吊戸ｄ１〜ｄ３は、図２に示すように、上框５から上方に突出する一対のアーム９ａと、そのアームの上端部に取付けた前後一対の戸車９ｂとからなる吊り具９を有し、また、下框６の下面から下方に突出するガイド片１０を有している。
吊戸ｄ１〜ｄ３を枠体Ｆに収容するには、図３に示すように、戸車９ｂを上枠１の浴室の内外方向に隔てて形成されている垂下壁１ａの間を持ち上げ、各垂下壁１ａの上部に形成してある戸車外れ止め片１ｂの、一方の縦枠側に寄った位置において形成された一対の切欠１ｃから戸車９ｂをレール１ｄに転動自在に嵌合することにより、吊戸ｄの上部が上枠１に支持され、また、これと同時に、下框６のガイド片１０を後述される下枠レール２Ｃの案内溝に摺動自在に嵌合することにより、吊戸ｄの下部が下枠レール２ｃに支持されている。
【００１５】
枠体Ｆに図示の例のように３枚の吊戸ｄ１〜ｄ３を保持する場合は、脱衣室側から見た場合の手前の吊戸ｄ１は、左側に召し合わせ框を備え、中央の吊戸ｄ２は左右両側に召し合わせ框を備え、奥の吊戸ｄ３は右側に召し合わせ框を備えることにより、図４（ａ）のように全開状態にある吊戸の手前の一つｄ１を右方向に右縦枠４に止められるまで移動すると、中間吊戸ｄ２も右方向に移動されて、図４（ｂ）に示すように全閉状態になり、かつ、各吊戸の間は密閉されるようになっている。なお、図４（ｂ）において吊戸ｄ１は右縦枠４に障子固定部品（図示せず）で固定され、通常の使用ではｄ２、ｄ３の吊戸が開閉される。図４（ａ）の状態に障子を移動するには、前記障子固定部品の固定を解除する。
【００１６】
［下枠の構成］
以上の基本的な構成に対して、本発明により付加された新規な構成について順次説明する。下枠２は、所定の間隔をもって離間して取付けられた脱衣室側下枠２Ａと浴室側下枠２Ｂとを、その間に新規な構成を有する下枠レール２Ｃを架橋し構成されている。
図５は脱衣室側下枠２Ａの展開図であり、（ａ）は平面図、（ｂ）は（ａ）のＸ１−Ｘ１線断面図、（ｃ）は（ａ）のＹ矢視図である。なお、（ｂ）には浴室側下枠２Ｂも併せて示されている。
脱衣室側下枠２Ａは、図５に示すように、脱衣室側端部に脱衣室の床面に載置して固定される平坦部１１に続いて、上面に開口する集水溝１２を有し、その集水溝の浴室側凸壁１２ａの下端部から浴室側に延びる上下の水平部により、下枠レール２Ｃの脱衣室側端部を載せる段部１３が形成されている。また、その段部の浴室側端部から下方に延びる脚部１４が形成されている。浴室側下枠２Ｂは、所要の強度を備えるため必要に応じて中空形材１５で形成され、下枠レール２Ｃの浴室側端部を載せる上下の段部１６を有している。
【００１７】
［下枠レールの構成］
図６及び図７に示すように、下枠レール２Ｃは、所要の強度を備えるため、一室又は複数室の中空部１７を有し、かつ、平坦な上面１８を有するとともに、その上面に開口し、長手方向全長に渡って延長する案内溝１９ａ，１９ｂ，１９ｃを有する。案内溝は、３枚の吊戸ｄ１〜ｄ３に対応して３本形成されているが、手前吊戸ｄ１に対応する案内溝１９ａはＬ字溝とされ、中間吊戸ｄ２と奥側吊戸ｄ３に対応する案内溝１９ｂ，１９ｃはＵ字溝とされている。さらに、脱衣室側端部及び浴室側端部にそれぞれ脚部２０が形成されている。案内溝１９ａ〜１９ｃはすべて等しい幅を有する。また、下枠レール２Ｃには、前記案内溝の底部に排水孔２１が形成されている。中間の案内溝１９ｂには、排水の必要性が最も高いので、その長手方向の両端部と中間の任意の位置に排水孔２１ａ，２１ｂが設けられているが、手前吊戸及び奥側吊戸に対応する両側の案内溝１９ａ，１９ｃには、その両端部においてのみ、排水孔２１ａが形成されている。さらに、各中空部１７の底面にも一つ又は二つの比較的大きな排水孔２２が形成されている。
【００１８】
［下枠レールの取付構造］
上記構造の下枠レール２Ｃは、図８に示すように、長手方向に二分割して使用されている。すなわち、吊戸１枚の幅より若干長い、短い下枠レール２Ｃ１と、吊戸の幅の２倍より若干短い長い下枠レール２Ｃ２の２種類から構成されている。短い下枠レール２Ｃ１の長さをＬ１、長い下枠レール２Ｃ２の長さをＬ２、下枠２の長さをＬとすると、Ｌ＝Ｌ１＋Ｌ２＋ｗとなるように設定されている。
そして、これら２種類の下枠レール２Ｃ１，２Ｃ２は、図８（ａ）に示すように、一方の下枠レール２Ｃ２を脱衣室側下枠２Ａと浴室側下枠２Ｂの間に嵌合し（図８丸１）、両側の脚部２０を両下枠２Ａ，２Ｂの段部１３，１６に嵌合載置した状態で、その下枠レール２Ｃ２を一方の縦枠３方向にその縦枠に止められるまで移動し（図８丸２）、次いで、他方の下枠レール２Ｃ１を同様にして、両下枠２Ａ，２Ｂ間に嵌合し（図８丸３）、両側の脚部２０を両下枠の段部１３．１６に嵌合載置した状態で、その下枠レール２Ｃ１を他方の縦枠４方向にその縦枠に止められるまで移動する（図８丸４）と、両下枠レール２Ｃ１，２Ｃ２の端部間に幅ｗの隙間２３が形成される。
また、この時、両下枠レール２Ｃ１，２Ｃ２を両下枠２Ａ，２Ｂの間に嵌合した時に、その下枠レールと脱衣室側下枠２Ａの集水溝の凸壁１２ａとによって手前側吊戸ｄ１に対応する案内溝１９ａがＵ字形になる。案内溝１９ａは、下枠レールと脱衣室側下枠２Ａにより形成される構造に代えて、下枠レール２Ｃ１，２Ｃ２の脱衣室側端部に案内溝１９ｂ，１９ｃと同様のＵ字形の案内溝を形成しても良い。
【００１９】
上記両下枠レール２Ｃ１，２Ｃ２間の隙間２３には、図８（ｂ）に示すように、連結部材２Ｄが嵌合されて、両下枠レール２Ｃ１，２Ｃ２が一体的に連続される。連結部材２Ｄは、図８（ｃ）に示すように、下枠レールの断面形状とほぼ等しい側面形状を有するブロック状に形成され、下枠レールの案内溝１９ａ〜１９ｃに対応する案内溝２４ａ〜２４ｃを有している。上面には下枠レールの長手方向両側に若干延出する突縁２５を有している。
こうして、連結部材２Ｄは、図８（ｂ）及び（ｃ）に示すように、二つの下枠レール２Ｃ１，２Ｃ２の間の隙間２３に押して嵌合すると、突縁２５が下枠レール２Ｃ１，２Ｃ２の対向する端部を被覆し、かつ、下枠レール２Ｃ１，２Ｃ２の案内溝を連通させる。連結部材２Ｄには、互いに反対の面に複数個の小突起２６が設けてあり、隙間２３に押して嵌合された時に、その小突起２６が案内溝１９ａ，１９ｂの底面に係止するため、下枠レール２Ｃ１，２Ｃ２に人が載った時の振動などでは容易に外れないようになっている。
【００２０】
［下枠レールの浮き上がり防止］
上記下枠レール２Ｃ１，２Ｃ２は、左右の縦枠３，４の間において脱衣室側下枠２Ａと浴室側下枠２Ｂの間に嵌合載置され、連結部材２Ｄにより連結されるだけでは、下枠レール２Ｃ１又は２Ｃ２に不当に大きな荷重が加えられた場合に、その下枠レールの縦枠側端部が浮き上がることがあり得る。
これを防止するため、好ましい実施例では、図９ないし図１１に示すように、下枠レールの浮き上がりを防止する手段が備えられている。同図において、２７は浮き上がり防止具である。図９及び図１０は右縦枠４に取付けられた浮き上がり防止具２７を示しているが、左縦枠３にも対称的に取付けられる。図１１は、左右いずれの縦枠にも共通に使用できる構造を示している。浮き上がり防止具２７は、縦枠４の下部の対向面の幅方向ほぼ中央にねじ止めされ、下面から下方に突出する突起２７ａと、背面に突設された突起２７ｂを有し、背面突起よりも上方にねじ貫通孔２７ｃを有している。
そして、背面突起２７ｂを縦枠４の浴室出入り口に面する壁面に形成された孔（不図示）に挿入するとともに、貫通孔２７ｃからビス２８を縦枠４にねじ込むことにより、浮き上がり防止具２７が回転を阻止されると同時に縦枠に固定される。そして、下枠レール２Ｃ１又は２Ｃ２の中央の案内溝１９ｂを下面突起２７ａに嵌合すると、下枠レール２Ｃ１，２Ｃ２の端部の浮き上がりを防止できる。
【００２１】
好ましい実施例では、浮き上がり防止具２７の左右両側に水密部材２９´を嵌着するための縦溝２７ｄが設けられる。この縦溝２７ｄは、浮き上がり防止具を取付けるために縦枠３又は４の中間の突縁３０の下部及びその突縁に嵌着されている水密部材２９を切除しなければならない場合に、その切除された突縁を補完するためのものであり、突縁３０に近い側の縦溝２７ｄに水密部材２９´を嵌着して、縦枠の水密部材２９と一体的に連続させることができる。縦溝２７ｄが両側に設けてあるのは、１種類の浮き上がり防止具２７を左右の縦枠３，４に使用して、いずれにおいても水密部材２９，２９´の連続を可能にするためである。
【００２２】
本発明の好ましい実施例では、各吊戸ｄ１〜ｄ３の下框６の下面に突設されているガイド片１０に、図１、図１２及び図１３に示すような、ガイドカバー材３１が装着されている。このガイドカバー材３１は、吊戸の下框６と等しい長さを有する、輪郭が倒立凸字形の長尺中空材で形成され、上面中央と下方凸部３１ａの中央にスリット３１ｂ，３１ｃ，３１ｄが形成されている。図１３（ａ）はガイドカバー材３１の構造を示す拡大図、図１３（ｂ）はガイドカバー材がガイド片に装着された状態の断面図である。ガイドカバー材３１は、音を伝播しにくい合成樹脂製であることが望ましい。
そして、各スリットにガイド片１０の長手方向端部を位置合わせし、このガイドカバー材３１をその長手方向に移動して、ガイドカバー材３１でガイド片１０を被覆するとともに、ガイドカバー材３１の上面を下框６の底面に密着させて、ガイドカバー材３１を下框６に固定してある。下方凸部３１ａは、下枠レール２Ｃの案内溝１９の幅とほぼ等しい厚みを有している。こうして、吊戸ｄが上記のようにして枠体Ｆに保持された時は、各ガイドカバー材３１の下方凸部３１ａが各案内溝１９にごく僅かな隙間をもって摺動自在に嵌合され、案内される。従って、吊戸に風圧や人から外力が加わっても、下框６が横振れして叩打音を発生したり、吊戸開閉時に金属的接触音を発生したりすることが防止される。
ガイドカバー材３１の両端部には、吊戸ｄに後述されるコーナ部品３５を取付ける場合に干渉しないように必要に応じて切欠３１ｅが形成されている（図１７参照）。
【００２３】
吊戸の下框のガイド片１０は、吊戸の縦框の下方までは延長されていないのが通常である。従って、ガイド片の長手方向両端部の延長上で、吊戸の縦框の下方に空隙が生じ、その空隙は浴室床面からの水流出の原因となる。そこで、ガイドカバー材３１を縦框の下方まで延長することにより、前記空隙を遮閉することができる利点もある。
【００２４】
［実施例の効果］
上記実施例の構成による効果を説明すると、下枠レール２Ｃ１，２Ｃ２は、完結中空状に形成されているので、十分な強度を有し、その幅方向両側に設けた脚部２０を脱衣室側下枠２Ａ及び浴室側下枠２Ｂのそれぞれ上下の段部１３，１６に嵌合載置して架橋しているので、下枠２が全体として非常に大きな強度を具備しており、下枠レールに人が載っても撓むことはないから、とくに二つの下枠レールの突き合わせ部分に段差が生じることはない。しかし、下枠レールは、所要の強度が確保される限り、完結中空状に作られる必要はなく、一部開放された中空状に形成されても良い。
【００２５】
そして、下枠レール２Ｃ１，２Ｃ２の上面は平坦で、脱衣室床面と下枠上面と浴室床面とが一つのほぼ水平面上に揃うので、バリアフリーであるとともに、浴室の防水パン３２の上面から下枠２の上面、すなわち、下枠レール２Ｃの上面まで進入した水は、いずれかの案内溝１９ａ，１９ｂ又は１９ｃに流下し、排水孔２１ａ及び２１ｂを経て、下枠の下方に設置されている排水溝３３に集められ、その排水溝３３から排水管３４を経て、浴槽からの排水管（不図示）又は屋外に流出される。
【００２６】
また、各吊戸の下面に突設されているガイド片１０は、薄板状に形成されていても、これに倒立凸字形のガイドカバー材３１を嵌合被覆し、そのガイドカバー材３１の適宜の厚みを有する下部を下枠レール２Ｃの各案内溝１９ａ，１９ｂ，１９ｃに摺動自在に嵌合してあるので、案内溝の幅を清掃が容易なように大きくした場合でも、吊戸の下部の揺動が防止され、吊戸開閉時の金属接触音や閉鎖時の横振れによる叩打音の発生が防止される。
【００２７】
本発明の好ましい実施例では、脱衣室側下枠２Ａの集水溝１２の凸壁１２ａの両端部に切欠１２ｂを、さらに下枠レール２Ｃの案内溝１９ａの両端部に切欠２１ａをそれぞれ形成することにより、集水溝１２に入り込んだ漏水が排水溝３３までに流れる通路が形成されている。従って、例えば、吊戸を一部開放した状態で浴室防水パン３２の掃除の際に洗浄水が下枠レール２Ｃを越えて脱衣室側下枠２Ａまで流れることがあっても、その水は集水溝１２から案内溝１９ａに流下し、さらに排水溝３３に排水される。従って、下枠２の排水性能が格段に向上している。
【００２８】
［コーナ部品による排水性向上］
以上のように、排水性能を備えた下枠レール２Ｃを用いる場合、下枠レール２Ｃの上面に付着した水滴が案内溝１９に進入せずに何時までも止まる時は、下枠レールの上面が塵や石鹸水などで汚れ、衛生上好ましくない。とくに、ガイドカバー材３１を吊戸の縦框の下方まで延長しない場合は、防水パン３２から水が縦框の下方に生じる空隙を通って下枠レール上面に流入する可能性が増える。
本発明の好ましい実施例では、上記空隙からの水の流入を有効に防止するため、また、下枠レール上面に付着した水を効果的に排除することができるように、各吊戸の縦框の下端部に、図１４ないし図１７に示すようなコーナ部品３５を装着してある。
【００２９】
図１４はコーナ部品３５の展開図、図１５はコーナ部品３５が取り付けられた状態を示す吊戸の一方の下隅部の正面図、図１６は図１５のＸ２−Ｘ２線断面図、図１７は図１５の底面図、図１８は図１５のＸ３−Ｘ３線断面図である。
【００３０】
図１４に例示するコーナ部品３５は、水密部材３５Ａと止水部材３５Ｂとを一体的に結合してなっている。水密部材３５Ａは、上部が薄く下部が厚く形成された挿入部３５１と、その挿入部の下面中央から垂下する下方凸部３５２とを有する。下方凸部３５２は、ガイドカバー材３１の下方凸部３１ａの輪郭とほぼ同一の断面形状を有する。また、止水部材３５Ｂは、平面矩形の板状ブロックの下面に複数条のフィン３５３からなるスクレーパを有していて、各フィンの下端が水密部材の下方凸部３５２の高さ方向中間に位置する態様で、水密部材３５Ａの側面に、かつ、止水部材３５Ｂの一部が水密部材３５Ａの前後双方又は一方から突出する態様で接合されている。止水部材３５Ｂは、吊戸ｄを枠体Ｆに装着した場合に、フィン３５３が下枠レール２Ｃの案内溝の間に存在する平坦な上面に接触する位置に取付けられている。
【００３１】
そして、コーナ部品３５は、図１５に示すように、水密部材３５Ａの挿入部３５１を吊戸ｄの縦框８の中空部にその下端から挿入し、止水部材３５Ｂの上面を縦框の下面に当てて止め、縦框の正面から挿通された、縦框８と下框６を接続するためのねじ３６により固定されている。
この状態で、コーナ部品３５の下方凸部３５２は、ガイドカバー材３１の下方凸部３１ａの延長上に存在し、これと一体的に連続して、縦框８の下方に生じる空隙を遮閉する。
図示の例は、コーナ部品３５が一方の縦框８に取付けられている例について説明したが、コーナ部品３５は、他方の縦框７にも、同一側に取付けられている。従って、全吊戸閉鎖状態において、防水パン３２の上面から各吊戸の縦框の下方を脱衣室方向に水が流出することが完全に防止される。
また、止水部材３５Ｂのフィン３５３は、下枠レール２Ｃの上面に弾力的に接触しているので、吊戸を移動する度に、下枠レール２Ｃの上面に付着している水滴が掻き集められて、案内溝１９に流入し、排水される。
従って、この実施例を用いる場合は、浴室出入り口用サッシの排水性能がさらに向上する。
【００３２】
上記実施例では、水密部材３５Ａと止水部材３５Ｂが一体的に結合されているので、縦框に対する取付け作業が簡単である利点があるが、水密部材３５Ａと止水部材３５Ｂを独立して形成し、それぞれを縦框に取付けるようにしても良い。
【００３３】
【発明の効果】
上述したように、本発明によれば、吊戸を外さずに下枠レール下方の排水溝を容易に清掃できる、浴室出入り口用サッシの下枠における排水装置を提供することができ、かつ、水密性に優れた引き戸の止水構造を提供することができる。
さらに詳述すると、請求項１の発明によれば、枠体の下枠は、脱衣室側下枠と浴室側下枠と前記両下枠の間を架橋させた下枠レールと連結部材とで構成されるため、構成が簡素化し、下枠レールの強度が向上するとともに、吊戸を一方の縦枠側に寄せた状態で連結部材を取外し、下枠レールの一つを取外した後、吊戸を反対側に寄せて残りの下枠レールを取外すことができるので、下枠レール及び排水溝の清掃を容易に行うことができる。
【００３４】
請求項２の発明によれば、左右の縦枠の対向面の下部に、下枠レール浮上がり防止具を取付けたので、脱衣室側下枠と浴室側下枠の間に嵌合架橋した下枠レールを、縦枠方向に寄せると、その下枠レールの浮上がりが確実に阻止される。
【００３５】
請求項３の発明によれば、吊戸の下框の下面に突設されているガイド片が薄板状のものでも、ガイドカバー材の下方凸部により下枠レールの案内溝に摺動自在に嵌合され、案内されるので、吊戸開閉時の金属的接触音や風圧の変動などによる叩打音が発生することが防止される。
【００３６】
請求項４の発明によれば、下枠上面を脱衣室方向に越えようとする水は、集水溝に捕捉され、集水溝の端部から通路を経て排水溝に排水されるので、排水性能に優れている。
【００３７】
請求項５の発明によれば、ガイドカバー材の下方凸部と水密部材の下方凸部が吊戸の全幅に沿って連続するので、全吊戸閉鎖状態では、各吊戸の間及び左右縦枠戸の間に水密性が確保され、浴室床面から脱衣室側への水の流出が防止され、吊戸の開閉時には、止水部材のスクレーパが下枠レールの上面の水滴を排除するので、排水性能がさらに向上する。
【図面の簡単な説明】
【図１】本発明装置の構成を示す浴室出入り口用サッシの縦断面図。
【図２】同サッシの主要構成を概略的に示す分解正面図。
【図３】吊戸の戸車の上枠に対する装着構造を説明する一部破断斜視図。
【図４】枠体に対する吊戸の保持態様を説明する概略斜視図。
【図５】脱衣室側下枠の構成を示す展開図。
【図６】下枠レールの平面図。
【図７】同じく下枠レールの横断面図。
【図８】枠体の下枠における下枠レールの装着構造を説明する斜視図。
【図９】枠体の右縦枠の正面図。
【図１０】同縦枠の横断面図。
【図１１】浮き上がり防止具の展開図。
【図１２】ガイドカバー材の構成図。
【図１３】同ガイドカバー材の拡大図。
【図１４】コーナ部品の展開図。
【図１５】コーナ部品が取り付けられた状態を示す吊戸の一方の下隅部の正面図。
【図１６】図１５のＸ２−Ｘ２線断面図。
【図１７】図１５の底面図。
【図１８】図１５のＸ３−Ｘ３線断面図。
【図１９】従来技術を示す縦断面図。
【符号の説明】
Ｆ      浴室出入り口用サッシの枠体
２      下枠
２Ａ      脱衣室側下枠
２Ｂ      浴室側下枠
２Ｃ，２Ｃ１，２Ｃ２      下枠レール
２Ｄ      連結部材
６        下框
１０      ガイド片
１２      集水溝
１９，１９ａ〜１９ｃ  案内溝
２１，２２      排水孔
２３      隙間
２７      浮き上がり防止具
２９，２９´    水密部材
３１      ガイドカバー材
３１ａ    下方凸部
３５      コーナ部品
３５Ａ    水密部材
３５Ｂ    止水部材
３５２    下方凸部
３５３    スクレーパ（フィン）
【図１】
0003553491.tif 000002
【図２】
0003553491.tif 000003
【図３】
0003553491.tif 000004
【図４】
0003553491.tif 000005
【図５】
0003553491.tif 000006
【図６】
0003553491.tif 000007
【図７】
0003553491.tif 000008
【図８】
0003553491.tif 000009
【図９】
0003553491.tif 000010
【図１０】
0003553491.tif 000011
【図１１】
0003553491.tif 000012
【図１２】
0003553491.tif 000013
【図１３】
0003553491.tif 000014
【図１４】
0003553491.tif 000015
【図１５】
0003553491.tif 000016
【図１６】
0003553491.tif 000017
【図１７】
0003553491.tif 000018
【図１８】
0003553491.tif 000019
【図１９】
0003553491.tif 000020